(57)【特許請求の範囲】
【請求項１】
連続する複数の画像フレームから構成される動画像データに対して該当動画像データを特定する識別情報を付加する動画像データの識別情報付加装置において、
前記各画像フレームのフレーム内における各位置のデータの隣接する画像フレームとの同一位置のデータに対する各差分値を得る手段と、
前記フレーム内における各差分値のうちの最大差分値が得られた位置を求める手段と、
前記複数の画像フレームにおける所定画像フレーム間隔毎の画像フレーム内の前記最大差分値が得られた位置に対して前記識別情報を書込む手段と
を備えた動画像データの識別情報付加装置。
【発明の詳細な説明】
【０００１】
【発明の属する技術分野】
本発明は動画像データに対して該当動画像データを特定する識別情報を付加する動画像データの識別情報付加装置に関する。
【０００２】
【従来の技術】
映画やゲームソフト等の各種動画像を著作権法によって著作権者に対して無断で複写することが禁止されている。この無断で行う不正複写を摘発するために、不正複写された動画像の複写元を特定することが重要な作業になる。
【０００３】
この不正複写された動画像の複写元を特定するために、工場出荷されるビデオテープやディスク毎に、該当動画像を特定するための識別情報としての識別番号を付加するようにしている。
【０００４】
具体的には、例えばアナログのビデオテープにおいては、以下の方法で識別番号を付与していた。
(1)   映像信号には走査線が画面の最下位位置から最上位位置へ戻る期間を示す垂直回帰時間等のＴＶ画面上に現れない時間位置に識別番号を示す信号を挿入する。
(2)   実際にＴＶ画面上の例えば隅に識別番号を表示する。
【０００５】
【発明が解決しようとする課題】
しかしながら、上述したように垂直回帰時間に識別信号を付加する手法においは、元々この垂直回帰時間は無信号期間であるので、タイムゲート回路等を用いて識別信号を削除することが可能である。したがって、悪意を持った第三者は簡単にこの識別番号を削除する。
【０００６】
また、実際にＴＶ画面上に識別番号を書込む場合、映像信号におけるこの識別番号の部分の信号を削除すると、この識別番号の背景部分の本来の画像も同時に削除され、識別番号の部分が空欄となる。そのため、商品価値が低下するので、削除することは困難である。しかし、正規の経路で入手した人にとっては、画面に常時識別番号が表示されているので、映像を見る場合には邪魔になる。
【０００７】
また、近年、著作権の保護や有料情報の第三者からの保護等のために、デジタルの動画像データをスクランブル処理して送信する技術が開発されている。
さらに、膨大な情報量が含まれる動画像データを効率的に伝送するために、この動画像データを画像圧縮して伝送する技術が開発されている。
【０００８】
このようなスクランブル処理されたり画像圧縮処理されたデジタルの動画像データに対しても、第三者が容易に除去できない識別番号の付与方法及び付加装置の開発が切望されている。
【０００９】
本発明はこのような事情に鑑みてなされたものであり、観察者が通常の注意を払ったのみでは付加された識別情報を見えなく、かつたとえ高度なデジタル技術を駆使したとしても簡単に除去できない識別情報を動画像データに付加する動画像データの識別情報付加装置を提供することを目的とする。
【００１２】
【課題を解決するための手段】
上記課題を解決するために本発明は、連続する複数の画像フレームから構成される動画像データに対して該当動画像データを特定する識別情報を付加する動画像データの識別情報付加装置において、各画像フレームのフレーム内における各位置のデータの隣接する画像フレームとの同一位置のデータに対する各差分値を得る手段と、フレーム内における各差分値のうちの最大差分値が得られた位置を求める手段と、複数の画像フレームにおける所定画像フレーム間隔毎の画像フレーム内の最大差分値が得られた位置に対して識別情報を書込む手段とを備えている。
【００１３】
このような構成においては、人間の視覚で捕えられない間隔をおいて画像フレームに識別情報が付加される。さらに、その付加されるフレーム内の位置が最も動きの激しい位置となる。そのため、識別情報が付加される位置が表示画像の動きに同調して変化するので、この識別情報の削除が困難になる。
【００２７】
【発明の実施の形態】
以下本発明の各実施形態を図面を用いて説明する。
（第１実施形態）
図１は本発明の第１実施形態に係わる動画像データの識別情報付加装置の概略構成を示すブロック図である。
【００２８】
入力端子１から入力された例えば通常のＴＶ受像機に表示するデジタルの動画像データａには１秒間に３０枚の画像フレームが含まれる。このデジタルの動画像データａを構成する図２に示す各画像フレーム１１はクロック端子７から入力されたクロック信号ＣＫに同期して画像蓄積メモリ２へ書込まれる。
【００２９】
そして、画像蓄積メモリ２はＴＶ画面に表示する１画像フレーム分のデータを記憶する。この画像蓄積メモリ２に記憶された各画像フレーム分のデータはクロック信号ＣＫに同期して画像読出部８で順次読出されて、出力端子９から出力される。出力端子１０には同期信号端子５から入力された動画像データａの垂直同期信号ＶS がそのまま出力される。
【００３０】
また、同期信号端子５から入力された垂直同期信号ＶS は出力端子１０へそのまま出力されるとともにカウンタ６へ入力される。このカウンタ６は垂直同期信号ＶS の個数を計数して、例えば３０個に達する毎に、書込指令信号ｗを書込タイミング制御部４へ送出する。この書込タイミング制御部４には入力端子３から入力された識別情報としての例えば４桁（１６ビット構成）の識別番号が入力されて記憶保持されている。
【００３１】
そして、この書込タイミング制御部４は、書込指令信号ｗが入力される毎に、記憶保持している４桁の識別番号を映像蓄積メモリ２の１画像フレーム１１におけるフレーム内の予め定められた規定位置に対応するアドレス位置に識別番号１２を書込む。すなわち、同一アドレス位置に記憶保持されている画像のデータに上書きする。
【００３２】
このように構成された第１実施形態の動画像データの識別情報付加装置においては、入力端子１から入力された図２に示すような連続する複数の画像フレーム１１から構成される動画像データａの各画像フレーム１１は一旦画像蓄積メモリ２に書込まれた後に、画像読出部８で読出されて出力端子９へ出力される。
【００３３】
この各画像フレーム１１が一旦画像蓄積メモリ２に書込まれたタイミングで、３０枚の画像フレーム１１毎に、フレームの特定位置に識別番号１２が書込まれる。その結果、出力端子９から順次出力される複数の画像フレーム１１のうち３０枚毎に、識別番号１２が書込まれた画像フレーム１１が混入する。
【００３４】
この３０枚に１枚の割合、すなわち０，０３秒の瞬時に現れる識別番号１２は人が通常の注意を払っている程度では識別できないので、見る人にとってこの識別番号１２が不快になることはない。
【００３５】
また、この識別番号１２は画像に直接上書きされているので、たとえデジタル処理技術を駆使したとしてもこのの識別番号１２のみを完全に除去することは非常に困難である。
【００３６】
したがって、見る人に不快感を与えることなく簡単に削除できない識別番号１２を動画像データに付加できる。
（第２実施形態）
図３は本発明の２実施形態に係わる動画像データの識別情報付加装置の概略構成を示すブロック図である。図１に示す第１実施形態と同一部分には同一符号が付してある。したがって、重複する部分の詳細説明は省略されている。
【００３７】
入力端子１から入力された画像圧縮された状態のデジタルの動画像データａ1 は圧縮解除部（デコーダ）１３で、元の連続する複数の画像フレーム１１からなる通常の動画像データａに復調される。復調された動画像データａの各画像フレーム１１は１枚毎にクロック端子７から入力されたクロック信号ＣＫに同期して順次画像蓄積メモリ２内に書込まれていく。画像蓄積メモリ２に記憶された各１画像フレーム分のデータはクロック信号ＣＫに同期して画像読出部８で順次読出されて、出力端子９から出力される。
【００３８】
一般に、複数の画像フレーム１１からなる動画像データａを例えばＭＰＥＧ  （Moving Picture Experts Group）方式で圧縮した動画像データａ1 内には、前記複数の画像フレーム１１のうちの一定枚数毎に基準となるＩ画像フレームと、Ｉ画像フレーム又は他のＰ画像フレームから予測を行うことによって得られるＰ画像フレームと、時刻の経過方向又と経過方向の逆方向との双方向の予測を行うことによって得られるＢ画像フレームとが含まれる。
【００３９】
この３種類の画像フレームのうち例えばＰ画像フレームのデータは自己より一つ前のＩ画像フレーム又は他のＰ画像フレームからの差分値ΔＤのみを含む。圧縮解除部１３は入力した圧縮状態の動画像データａ1 を元の動画像フレーム１２に圧縮解除すると共に、１フレーム上における各位置の差分値ΔＤを次の最大移動位置検出部１４へ送出する。さらに、圧縮解除部１３は圧縮状態の動画像データａ1 から垂直同期信号ＶS を抽出して最大移動位置検出部１４及びカウンタ６へ送出する。
【００４０】
最大移動位置検出部１４は、垂直同期信号ＶS が入力する毎に１フレームの最大差分値ΔＤmax が得られる位置を検出して次の書込部１５へ送出する。
また、カウンタ６は、垂直同期信号ＶS の個数を計数して、例えば３０個に達する毎に、書込指令信号ｗを前記書込部１５及び書込タイミング制御部４へ送出する。書込タイミング制御部４は、書込指令信号ｗが入力される毎に、入力端子３から入力され記憶保持している４桁（１６ビット）の識別番号を次の書込部１５へ送出する。
【００４１】
書込部１５は、カウンタ６から書込指令信号ｗが入力する毎に、書込タイミング制御部４から入力された４桁の識別番号を映像蓄積メモリ２の１画像フレーム１１におけるフレーム内の最大移動位置検出部１４から入力された位置に対応するアドレス位置に４桁（１６ビット）の識別番号を書込む。すなわち、１フレーム（１画面上）における画像の最も動きの激しい位置に識別番号が書込まれる。
【００４２】
このように構成された第２実施形態の動画像データの識別情報付加装置においては、図４に示すように、例えば連続する画像フレーム１１ａ，１１ｂにおける後側の画像フレーム１１ｂが３０枚目の識別番号を付加すべき画像フレーム１１ｂの場合、一つ前の画像フレーム１１ａに対する各位置における差分値ΔＤが算出され、画像フレーム１６内における最大差分値ΔＤmax の位置が定る。
【００４３】
次に、画像フレーム１１ｂ内の最大差分値ΔＤmax の位置に、識別番号１２ａが書込まれる。すなわち、画面上の最も動きの激しい位置に識別番号１２ａが書込まれるので、識別番号１２ａの書込位置が画面の画像の動きに応じて変化し、予め書込位置を特定できない。
【００４４】
この識別番号１２ａの書込位置を変動させることの長所を図５を用いて説明する。
すなわち、図２に示したフレーム上の同一位置に識別番号１２を書込む場合においては、連続する多数枚の画像フレーム１１を重ねていくと、重ねる枚数が多くなると、目視で識別番号が確認できてしまう懸念がある。
【００４５】
また、連続する各画像フレーム１１相互間の差分値を取っていくと、動きの激しい画面においては、図５（ａ）に示すように、各位置間で差分値ΔＤが大きく変動する。また、動きの少ない画面においては、図５（ｂ）に示すように、各位置間で差分値ΔＤの変動は少ない。さらに、背景が同一で画像が変更になると、図５（ｃ）に示す特性となる。また、同様に、識別番号１２が書込まれた位置近傍における差分値ΔＤの特性（波形）は図５（ｄ）に示す特性となる。
【００４６】
このように、各画像フレーム１１相互間の差分値ΔＤを取っていった場合の特性は、移動対象に応じて、独特の特性（波形パターン）を有する。したがって、各画像フレーム１１相互間の差分値ΔＤを取っていった場合の特性を分類して、図５（ｄ）に示す特性を抽出して、識別番号１２の書込位置を特定して、該当箇所に対する所定のデジシタル画像処理を施して、識別番号１２を除去することが可能である。
【００４７】
このような不都合を解消するために、この第２実施形態においては、識別番号１２ａの書込位置を画像の動きに応じて変動させている。したがって、たとえ図３（ａ）〜（ｄ）に示すような統計的手法を用いたとしても識別番号１２ａの書込み位置が容易に発見できないので、第三者にて識別番号１２ａが除去されることをより確実に防止できる。
【００４８】
（第３実施形態）
図６は本発明の第３実施形態に係わる動画像データの識別情報付加装置の概略構成を示すブロック図である。
【００４９】
この動画像データの識別情報付加装置は、大きく分けて、分離不可能な一つのＩＣ回路素子で構成されたデコーダチップ２１と、同じく分離不可能な一つのＩＣ回路素子で構成された識別情報合成チップ２２とで構成されている。
【００５０】
入力端子２３から入力された、画像圧縮されかつスクランブル処理されたデジタルの動画像データａ2 はデコーダチップ２１内のスクランブル解除部２４へ入力される。このスクランブル解除部２４は、このデコーダチップ２１内に予め設定されているスクランブル解除キー２５を用いて、入力した動画像データａ2 のスクランブル状態を解除する。
【００５１】
スクランブル状態が解除された動画像データは次の圧縮解除部２６へ入力される。圧縮解除部２６はスクランブル状態が解除された動画像データの圧縮状態を解除して、一旦、連続する複数の画像フレームからなる通常の動画像データａへ復調する。復調された通常の動画像データａは再スクランブル処理部２７で再度スクランブル処理される。そして、スクランブル状態の動画像データａ3 はこのデコーダチップ２１から出力される。
【００５２】
デコーダチップ２１から出力されたスクランブル状態の動画像データａ3 は次の識別情報合成チップ２２へ入力される。識別情報合成チップ２２へ入力された動画像データａ3 はスクランブル解除部２９へ入力される。スクランブル解除部２９は、識別情報合成チップ２２内に設定されているスクランブル解除キー３０を用いて、入力した動画像データａ3 のスクランブル状態を解除する。また、スクランブル解除部２９は、動画像データａ3 のスクランブル状態を解除すると共に、解除した動画像データａの垂直同期信号ＶS を抽出してカウンタ３２へ送出する。
【００５３】
スクランブル状態が解除された動画像データａは選択出力回路３１の第１の入力端子及び識別情報合成部３３へ入力される。
カウンタ３２は、垂直同期信号ＶS の個数を計数して、例えば３０個に達する毎に、書込指令信号ｗを前記識別情報合成部３３へ送出する。識別情報合成部３３は、書込指令信号ｗが入力される毎に、識別情報設定部部３４に設定されている４桁（１６ビット）の識別番号をスクランブル解除部２９から出力されている動画像データａの画像フレームの予め定められた位置に書込む。したがって、この識別情報合成部３３から出力される動画像データａ4 を構成する複数の画像フレームのうち３０枚毎に、識別番号が書込まれた画像フレームが混入する。
【００５４】
この３０枚毎に識別番号が書込まれた複数の画像フレームで構成された動画像データａ4 は選択出力回路３１の第２の入力端子へ入力される。選択出力回路３１は、通常状態においては、第２の入力端子へ入力されている識別番号が書込まれた動画像データａ4 を選択して出力端子３６へ送出する。
【００５５】
また、選択出力回路３１は、選択指示部３５からパスワードを指定した識別番号が書込まれていない動画像データａの選択信号が入力すると、このパスワードが自己の記憶部に予め記憶されているパスワードと一致したときのみ、スクランブル解除部２９から第１の入力端子に入力されている動画像データａを出力端子３６へ出力する。
【００５６】
このように構成された第３実施形態の動画像データの識別情報付加装置においては、スクランブル処理されかつ画像圧縮された動画像データａ2 に対して効果的に識別情報を付加可能である。
【００５７】
前述したように、識別番号を例えば３０枚等の定画像フレーム間隔毎の画像フレームに付加する処理を実行する場合は、スクランブル状態を解除して、その後、画像圧縮状態を解除する必要がある。
【００５８】
一般に、圧縮状態を元に戻す圧縮解除部２６と識別番号を付加する識別番号合成部３３とは互いに異なる装置で構成されている場合が多い。このようなシステムにおいては、スクランブル状態及び画像圧縮状態が解除された状態の動画像データａが両装置を接続する信号ケーブル内を伝送される過程で第三者に簡単に取り込まれる。
【００５９】
このような不測の事態が発生するのを未然に防止するために、画像圧縮を解除するデコーダチップ２１を分割不可能な一つのＩＣ回路素子で構成する共に、このデコーダチップ２１内に、一旦スクランブル解除された動画像データａを再スクランブル処理するスクランブル処理部２７が組込まれている。
【００６０】
その結果、デコーダチップ２１から外部へスクランブル状態及び画像圧縮状態が解除された状態の動画像データａが出力されることが防止される。
また、識別情報合成チップ２２内に、選択出力回路３１が設けられているので、必要に応じて識別番号が付加されていない元の動画像データａ又は識別番号が付加された動画像データａ4 を選択して取出すことができる。
【００６１】
この場合、選択出力回路３１にパスワード確認機能を付加しているので、パスワードを知らない人は識別番号が書込まれていないオリジナルの動画像データａを出力端子３６へ取出すことができない。したがって、再度のスクランブル処理及びパスワード確認処理により動画像データの著作権に関する管理をより一層厳格に実施できる。
【００６２】
（第４実施形態）
図７は本発明の第４実施形態に係わる動画像データの識別情報付加装置の概略構成を示すブロック図である。
【００６３】
入力端子４１から入力された連続する複数の画像フレームからなるデジタルの動画像データａは基準画像圧縮部４２へ入力されると共に、遅延バッファ４３を介して画像圧縮部４５へ入力される。
【００６４】
基準画像圧縮部４２は、入力された複数の画像フレームからなるデジタルの動画像データａを前述したＭＰＥＧ（Moving Picture Experts Group）方式で画像圧縮処理を行い圧縮された動画像データａ5 を出力する。
【００６５】
周知のように、この動画像データａ5 内には、複数枚の画像フレームを１まとめにしたＧＯＰ（Grop of Picture ）が多数配列されている。そして、このＧＯＰを一つの単位として動画像データａ5 に対する任意の時間位置からの準方向及び逆方向へのランダムアクセスが可能である。
【００６６】
そして、各ＧＯＰ内には、このＧＯＰの独立性を確保するために、前記複数の画像フレームのうちの一定枚数毎に基準となり、この基準となる画像フレームの情報のみで形成されるＩ画像フレームと、Ｉ画像フレーム又は他のＰ画像フレームから時間の経過方向に対して所定時経過後の画像フレームの予測を行うことによって得られるＰ画像フレームと、時刻の経過方向又とこの経過方向の逆方向との双方向の予測を行うことによって得られるＢ画像フレームとが含まれる。
【００６７】
そして、動画像データａ5 には、例えば、図８に示すように、次の順序で各Ｉ，Ｐ，Ｂの各画像フレームが配列される。
ＩＢＢＢＰＢＢＢＰＩＢＢＢＰＢＢＢ……                      (A)
また、場合によっては、図９に示すように、
ＩＢＢＢＢＰＢＢＰＩＢＢＢＢＰＢＰＩＢＢＢＢＰＢＢＰ……    (B)
のように配列される場合もある。
【００６８】
いずれにせよ、このように、動画像データａ5 においては、Ｉ，Ｐ，Ｂの各画像フレームが一定の周期を有するパターンで出力される。
出力パターン抽出部４６は基準画像圧縮部４２から出力された動画像データａ5 に含まれる、上述した図８又は図９に示す、出力パターンＰを抽出して出力パターンメモリ４７へ一時記憶するとともに、特定パターン抽出部４８へ送出する。
【００６９】
特定パターン抽出部４８は出力パターンＰに含まれる図８又は図９に示す特定単位パターンＱを抽出する。この特定単位パターンＱは、例えば、上述した(A) の出力パターンＰの場合は、図８に示すようにＢ画像フレームが３個以上連続する場合における先頭の３個のＢ画像フレームで構成される［ＢＢＢ］パターンと設定する。
【００７０】
また、この特定単位パターンＱを、例えば、上述した(B) の出力パターンＰの場合は、図９に示すように、Ｂ画像フレームが４個以上連続する場合における先頭の４個のＢ画像フレームで構成される［ＢＢＢＢ］パターンと設定する。
【００７１】
このように、特定単位パターンＱは基準画像圧縮部４２から出力されるＩ，Ｐ，Ｂの各画像フレームの出力パターンＰに応じて、周期的に出現する判別しやすいパータンを選択設定すればよい。
【００７２】
特定パターン抽出部４８で順次抽出された特定単位パターンＱは次のパターン変更部４９に入力される。パターン変更部４９は、順次入力される特定単位パターンＱを構成する例えば図８に示す２番目、又は図９に示す３番目等の特定位置のＢ画像フレームの種別を、識別情報入力部５０に設定されている［１］，［０］の２進符号で表示された識別番号を構成する各ビット値に応じてＰ画像フレームの種別に変更する。
【００７３】
例えば、図８に示すように、識別番号のビットが［１］の場合は、特定単位パターンＱの［ＢＢＢ］の２番目の［Ｂ］を［Ｐ］へ変更する。また、識別番号のビットが［０］の場合は、特定単位パターンＱの［ＢＢＢ］の２番目の［Ｂ］は変更しない。
【００７４】
このように、特定単位パターンＱ内の特定位置の画像フレームの種別を順次変更していく。したがって、例えば識別番号が１６ビット（４桁）で構成されていた場合は、１６個の特定単位パターンＱを抽出して、各特定単位パターンＱの特定位置の画像フレームの種別を変更すればよい。
【００７５】
識別番号で画像フレームの種別を変調（変更）された各特定単位パターンＱ1 は変更出力パターン作成部５１にて、出力パターンメモリ４７に記憶された元の出力パターンＰに書込まれ（オーバーライトされ）、例えば図８，図９に示す変更出力パターンＰ1 が作成される。
【００７６】
すなわち、この変更出力パターンＰ1 に含まれる各特定単位パターンＱ1 の特定位置の画像フレームの種別は識別番号に応じて［Ｂ］のまま、又は［Ｐ］に変化する。
【００７７】
変更出力パターン作成部５１は、作成した変更出力パターンＰ1 を画像圧縮部４５へ送出する。画像画像圧縮部４５は、入力端子４１から入力されて遅延バッファ４３で遅延された動画像データａに対して、この変更出力パターンＰ1 を用いて、前記ＭＰＥＧ方式で画像圧縮処理を行い圧縮された動画像データａ6 を出力端子４２へ出力する。
【００７８】
画像画像圧縮部４５から出力端子５２へ出力される動画像データａ6 に含まれるＩ画像フレーム、Ｐ画像フレーム、及びＢ画像フレームは、図８又は図９に示す変更出力パターンＰ2 に示す配列で順次出力される。
【００７９】
したがって、たとえ同一の動画像データａが入力したとしても、識別情報入力部５９に異なる識別番号を設定すれは、最終的に出力される動画像データａ6 に含まれるＩ画像フレーム、Ｐ画像フレーム、及びＢ画像フレームの出力パターンＰ1 の配列が異なる。
【００８０】
そして、このように動画像データａ6 に付加された識別番号を調べる場合は、この動画像データａ6 の出力パターンＰ1 （変更出力パターン）と、元のオリジナルの動画像データａを基準画像圧縮部４２で画像圧縮して得られた動画像データａ5 の出力パターンＰとを比較することによって、容易に識別番号が検出できる。
【００８１】
なお、動画像データａを、Ｉ画像フレーム，Ｐ画像フレーム及びＢ画像フレームを用いて画像圧縮する場合、前述したＩ画像フレームやＰ画像フレーム等の基本的な枠組みを満足しておれれば、Ｂ画像フレームの一部がＰ画像フレームに変更になる程度のパターン変更は、若干の画質、圧縮率の変動を許せば、充分許容範囲であり、実用上特に問題になることはない。
【００８２】
このように構成された第４実施形態の動画像データの識別情報付加装置においては、識別番号は動画像データａを構成する各画像フレームに直接書き込まれるのではなくて、この動画像データａを画像圧縮した場合に得られるＩ画像フレームとＰ画像フレームとＢ画像フレームとの３種類の画像フレームの変更出力パターンＰ1 の配列のなかに組込まれる。
【００８３】
この画像圧縮部４５で一旦作成された変更出力パターンＰ1 で示されるＩ，ＰＢの各画像フレームの配列を変更するためには、この画像圧縮された動画像データａ6 を圧縮解除装置を用いて一旦圧縮解除して元の複数の画像フレームａに戻した後に、再度画像圧縮装置を用いて別の出力パターンＰを有する動画像データａ6 に圧縮する必要がある。
【００８４】
この動画像データに対する圧縮及び圧縮解除するためには、扱う情報量が膨大になるので、複雑なハード構成及び膨大なソフト構成の装置が必要となり、簡単に識別番号を削除したり、別の識別番号に変更できない。
【００８５】
したがって、動画像データの著作権に対する保護をより厳格に管理できる。
さらに、複数ビットからなる識別番号を動画像データａに対して、一定周期で又は連続して付加すればよい。このようにすれば、たとえ動画像データａ6 の一部分のみを切出して複写したとしても、その部分にも必ず識別番号が含まれることになり、著作権をより厳格に管理できる。
【００８６】
（第５実施形態）
図１０は本発明の第５実施形態に係わる動画像データ識別情報付加装置の概略構成を示すブロック図である。図７に示す第４実施形態と同一部分には同一符号が付してある。したがって、重複する部分の詳細説明は省略されている。
【００８７】
この第５実施形態の動画像データ識別情報付加装置においては、画像圧縮部４５と出力端子５２との間にスクランブル処理部５３を介挿している。
このスクランブル処理部５３は、画像圧縮部４５から出力された圧縮状態の動画像データａ6 を構成する図８、図９の示すＩ，Ｐ，Ｂの各画像フレームに対してスクランブル処理を実施する。
【００８８】
したがって、このスクランブル処理された動画像データａ7 が第三者に渡ったとしても、この第三者は画像そのものを正常に見ることができないので、動画像データａの安全性がより一層向上する。
【００８９】
なお、本発明は上述した各実施形態に限定されるものではない。例えば各実施れ形態においては、識別情報を識別番号としたが、番号以外にも各動画像データａを特定できる記号、文字であってもよい。
【００９０】
また、図１に示す第１実施形態装置においては、動画像データはデジタルデータであることを前提として説明したが、例えばアナログの動画像データにも適用できる。この場合、画像蓄積メモリ２の代りに、信号合成回路を設け、信号読出部９及びクロック信号ＣＫを除去すればよい。
【００９１】
【発明の効果】
以上説明したように、本発明の動画像データの識別情報付加装置においては、動画像データを構成する連続する複数の画像フレームにおける識別情報の書込み位置を、隣接する画像フレーム相互間の同一位置に対する差分値が最も大きい位置に自動設定している。
【００９３】
したがって、観察者が通常の注意を払ったのみでは付加された識別情報を見えなく、たとえ高度なデジタル技術を駆使したとしても簡単に除去できない識別情報を動画像データに付加することができ、動画像データの著作権に対する保護をより厳格に管理できる。
【図面の簡単な説明】
【図１】 本発明の第１実施形態に係わる動画像データの識別情報付加装置の概略構成を示すブロック図
【図２】  同動画像データの識別情報付加装置で識別情報が付加された動画像データを構成する各画像フレームを示す図
【図３】  本発明の第２実施形態に係わる動画像データの識別情報付加装置の概略構成を示すブロック図
【図４】  同動画像データの識別情報付加装置で識別情報が付加された動画像データを構成する各画像フレームを示す図
【図５】  同動画像データの識別情報付加装置の特徴を示す模式図
【図６】  本発明の第３実施形態に係わる動画像データの識別情報付加装置の概略構成を示すブロック図
【図７】  本発明の第４実施形態に係わる動画像データの識別情報付加装置の概略構成を示すブロック図
【図８】  同動画像データの識別情報付加装置で得られる出力パターン，識別番号及び変更出力パターンとの相互関係を示す図
【図９】  同じく同動画像データの識別情報付加装置で得られる出力パターン，識別番号及び変更出力パターンとの相互関係を示す図
【図１０】  本発明の第５実施形態に係わる動画像データの識別情報付加装置の概略構成を示すブロック図
【符号の説明】
２…画像蓄積メモリ
３…画像読出部
４…読出タイミング制御部
６，３２…カウンタ
１１，１１ａ，１１ｂ…画像フレーム
１２，１２ａ…識別番号
１３，２６…圧縮解除部
１４…最大移動位置検出部
２１…デコーダチップ
２２…識別情合成チップ
２４，２９…スクランブル解除部
２５，３０…スクランブル解除キー
２７…再スクランブル処理部
３１…選択出力回路
３３…識別情報合成部
４２…基準画像圧縮部
４５…画像圧縮部
４６…出力パターン抽出部
４８…特定バータン抽出部
４９…パターン変更部
５１…変更パターン作成部
【図１】
0003940453.tif 000002
【図２】
0003940453.tif 000003
【図３】
0003940453.tif 000004
【図４】
0003940453.tif 000005
【図５】
0003940453.tif 000006
【図６】
0003940453.tif 000007
【図７】
0003940453.tif 000008
【図８】
0003940453.tif 000009
【図９】
0003940453.tif 000010
【図１０】
0003940453.tif 000011